(57)【要約】【課題】二次電池をそれぞれ有する２つの電子機器間で各電池の電力を融通する。【解決手段】制御回路１０は、二次電池１１の電池情報Ｂ１と二次電池２１の電池情報Ｂ２とに基づいて、二次電池１１の使用量が所定の送受電時使用量設定値ａｓ１になりかつ二次電池２１の使用量が所定の送受電時使用量設定値ａｓ２になるように、電子機器１の動作モードを受電モード又は送電モードに切り換える。電子機器１は、送電モードにおいて二次電池１１の電力を電子機器２に送電し、これにより二次電池２１を充電する一方、受電モードにおいて二次電池２１の電力を電子機器２から受電し、受電した電力により二次電池１１を充電する。【選択図】図１
2013225951.tif 000002
【特許請求の範囲】
【請求項１】
第１の二次電池によって駆動される第１の電子機器と、
第２の二次電池によって駆動される第２の電子機器とを備えた電力シェアリングシステムにおいて、
上記第１及び第２の電子機器はそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信し、
上記第１の電子機器は、
上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御手段を備え、
上記制御手段は、
上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを特徴とする電力シェアリングシステム。
【請求項２】
上記制御手段は、上記第１及び第２の電池情報に基づいて、上記第１及び第２の電池残容量がそれぞれ実質的に同時に所定値になるように、上記第１及び第２の送受電時使用量設定値を計算することを特徴とする請求項１記載の電力シェアリングシステム。
【請求項３】
上記制御手段は、
上記第１の電池残容量が上記第２の電池残容量より小さいとき、上記第１の電子機器の動作モードを上記受電モードに切り換え、上記第１の電池残容量が上記第２の電池残容量より大きくなったとき上記受電モードを終了し、
上記第１の電池残容量が上記第２の電池残容量以上であるとき、上記第１の電子機器の動作モードを上記送電モードに切り換え、上記第１の電池残容量が上記第２の電池残容量より小さくなったとき上記送電モードを終了することを特徴とする請求項１又は２記載の電力シェアリングシステム。
【請求項４】
上記制御手段は、
上記第１の残り使用時間予測値が上記第２の残り使用時間予測値より小さいとき、上記第１の電子機器の動作モードを上記受電モードに切り換え、上記第１の残り使用時間予測値が上記第２の残り使用時間予測値より大きくなったとき上記受電モードを終了し、
上記第１の残り使用時間予測値が上記第２の残り使用時間予測値以上であるとき、上記第１の電子機器の動作モードを上記送電モードに切り換え、上記第１の残り使用時間予測値が上記第２の残り使用時間予測値より小さくなったとき上記受電モードを終了することを特徴とする請求項１又は２記載の電力シェアリングシステム。
【請求項５】
上記制御手段は、
上記第１の電池残容量が上記第１のしきい値以下であるとき、上記第１の電子機器の動作モードを上記受電モードに切り換え、上記第１の電池残容量が上記第１のしきい値より大きい所定の第２のしきい値以上になり、又は上記第２の電池残容量が上記第１のしきい値以下になったとき上記受電モードを終了し、
上記第１の電池残容量が上記第１のしきい値より大きいとき、上記第１の電子機器の動作モードを上記送電モードに切り換え、上記第１の電池残容量が上記第１のしきい値以下になり、又は上記第２の電池残容量が上記第２のしきい値以上になったとき上記送電モードを終了することを特徴とする請求項１又は２記載の電力シェアリングシステム。
【請求項６】
上記第１の電池情報は、少なくとも１つの将来の所定のタイミングにおける上記第１の電子機器による所定のアプリケーションソフトウェアのプログラムの実行状態に対応する電池電力使用量をさらに含み、
上記第２の電池情報は、少なくとも１つの将来の所定のタイミングにおける上記第２の電子機器による所定のアプリケーションソフトウェアのプログラムの実行状態に対応する電池電力使用量をさらに含むことを特徴とする請求項１から５までのうちのいずれか１つに記載の電力シェアリングシステム。
【請求項７】
上記制御手段は、上記送電モード及び上記受電モードにおいて、最新の上記第１及び第２の電池情報に基づいて、上記第１及び第２の送受電時使用量設定値を繰り返して計算することを特徴とする請求項１から５までのうちのいずれか１つに記載の電力シェアリングシステム。
【請求項８】
上記第１の電子機器は、上記計算した第１及び第２の送受電時使用量設定値を記憶する記憶手段をさらに備え、
上記制御手段は、
上記送電モード及び上記受電モードにおいて、上記第２の電池情報を上記第２の電子機器から受信し、当該受信したタイミングにおける上記第１の電池電力使用量が上記記憶手段に記憶した第１の電池電力使用量と同一であり、かつ上記受信した第２の電池情報に含まれる第２の電池電力使用量が上記記憶手段に記憶した第２の電池電力使用量と同一であるとき、上記第１及び第２の送受電時使用量設定値を計算することを禁止することを特徴とする請求項７記載の電力シェアリングシステム。
【請求項９】
上記制御手段は、
上記受電モードにおいて、上記第１の電池情報を上記第２の電子機器に送信し、上記第１及び第２の送受電時使用量設定値を計算することなく上記第２の電子機器から受信し、
上記送電モードにおいて、上記第２の電池情報を上記第２の電子機器から受信し、上記第１の電池情報及び上記受信した第２の電池情報に基づいて上記第１及び第２の送受電時使用量設定値を計算し、上記第１の電池情報及び上記計算した第１及び第２の送受電時使用量設定値を上記第２の電子機器に送信することを特徴とする請求項７記載の電力シェアリングシステム。
【請求項１０】
上記制御手段は、上記送電モード及び上記受電モードにおいて、最新の上記第１及び第２の電池情報に基づいて、上記第１及び第２の送受電時使用量設定値を繰り返して計算することを特徴とする請求項６記載の電力シェアリングシステム。
【請求項１１】
上記制御手段は、上記第１の電子機器による所定のアプリケーションソフトウェアのプログラムの実行状態及び上記第２の電子機器による所定のアプリケーションソフトウェアのプログラムの実行状態が変化していていないとき、上記第１及び第２の送受電時使用量設定値を計算することを禁止することを特徴とする請求項１０記載の電力シェアリングシステム。
【請求項１２】
上記第１の電子機器は表示手段をさらに備え、
上記制御手段は、上記送電モードにおいて、上記表示手段を用いて、上記第１の電子機器が送電中であることを通知することを特徴とする請求項１から１１までのうちのいずれか１つに記載の電力シェアリングシステム。
【請求項１３】
上記制御手段は、上記第２の電子機器からデータ信号を受信できないとき、上記第１の二次電池の電力を上記第２の電子機器に送電することを特徴とする請求項１から１２までのうちのいずれか１つに記載の電力シェアリングシステム。
【請求項１４】
上記制御手段は、上記第２の二次電池の電池残容量が所定の省電力しきい値以下であることを示す省電力モード信号を上記第２の電子機器から受信したとき、上記第１の二次電池の電力を上記第２の電子機器に送電することを特徴とする請求項１から１３までのうちのいずれか１つに記載の電力シェアリングシステム。
【請求項１５】
第１の二次電池によって駆動される第１の電子機器と、
第２の二次電池によって駆動される第２の電子機器とを備えた電力シェアリングシステムのための第１の電子機器である電子機器において、
上記第１及び第２の電子機器はそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信し、
上記第１の電子機器は、
上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御手段を備え、
上記制御手段は、
上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを特徴とする電子機器。
【請求項１６】
第１の二次電池によって駆動される第１の電子機器と、
第２の二次電池によって駆動される第２の電子機器とを備えた電力シェアリングシステムのための電力シェアリング方法において、
上記第１及び第２の電子機器がそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信するステップと、
上記第１の電子機器が、上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御ステップとを含み、
上記制御ステップは、
上記第１の電子機器が、上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを含むことを特徴とする電力シェアリング方法。
【発明の詳細な説明】
【技術分野】
【０００１】
本発明は、二次電池をそれぞれ有する２つの電子機器間で各電池の電力を融通する電力シェアリングシステムと、当該電力シェアリングシステムのための電子機器と、電力シェアリング方法とに関する。
【背景技術】
【０００２】
近年、二次電池により駆動される携帯端末などの電子機器が急激に普及し、一人のユーザが複数の電子機器を所有している例も少なくない。さらに、複数の電子機器が同時に動作して初めて１つのシステムとして機能する例もあり、この場合には、１つの電子機器の電池電力の低下に伴ってシステムが機能しなくなることを防ぐために、各電子機器の電池電力を管理する必要がある。
【０００３】
特許文献１記載の電子機器は、電池に固有のＩＤを割り当て、電池毎に累積使用時間を記憶するとともに、累積使用時間から電池の残量を判別する。さらに、特許文献１記載の電子機器は、電池毎の残量の情報を他の電子機器との間でネットワークを介して送受信し、複数の電子機器で各電池の残量の情報を共有する。
【先行技術文献】
【特許文献】
【０００４】
【特許文献１】特開平７−１７６３３号公報
【発明の概要】
【発明が解決しようとする課題】
【０００５】
しかしながら、特許文献１記載の電子機器によれば、複数の電子機器で各電池の残量の情報を共有できるものの、複数の電子機器により１つのシステムを構成している場合、１つの電子機器の電池の残量がなくなるとシステムが動作できなくなるという課題を解決できなかった。
【０００６】
本発明の目的は以上の問題点を解決し、二次電池をそれぞれ有する２つの電子機器間で各電池の電力を融通できる電力シェアリングシステムと、当該電力シェアリングシステムのための電子機器と、電力シェアリング方法とを提供することにある。
【課題を解決するための手段】
【０００７】
本発明の一態様である電力シェアリングシステムは、
第１の二次電池によって駆動される第１の電子機器と、
第２の二次電池によって駆動される第２の電子機器とを備えた電力シェアリングシステムにおいて、
上記第１及び第２の電子機器はそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信し、
上記第１の電子機器は、
上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御手段を備え、
上記制御手段は、
上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを特徴とする。
【０００８】
なお、これらの概括的かつ特定の態様は、システム、方法、コンピュータプログラムならびにシステム、方法及びコンピュータの任意の組合せにより実現してもよい。
【発明の効果】
【０００９】
上記構成によれば、第１の電池残容量が第２の電池残容量より小さいか否か、第１の電池残容量及び第１の電池電力使用量に基づいて計算される第１の残り使用時間予測値が第２の電池残容量及び第２の電池電力使用量に基づいて計算される第２の残り使用時間予測値より小さいか否か、又は、第１の電池残容量が所定の第１のしきい値より小さいか否かに基づいて、第１の二次電池の使用量が所定の第１の送受電時使用量設定値になりかつ第２の二次電池の使用量が所定の第２の送受電時使用量設定値になるように、第１の電子機器の動作モードを受電モード又は送電モードに切り換えるので、二次電池をそれぞれ有する２つの電子機器間で各電池の電力を融通できる。
【図面の簡単な説明】
【００１０】
【図１】本発明の第１の実施形態に係る電力シェアリングシステムの構成を示すブロック図である。
【図２】図１の制御部１０によって実行される電力シェアリング処理を示すフローチャートである。
【図３】図１の電子機器１と２との間で送受信される電池情報Ｂ１及びＢ２と、電池情報Ｂ１及びＢ２に基づいて制御部１０及び２０によって計算される残り使用時間予測値Ｔ１及びＴ２と、送受電時残り使用時間予測値Ｔ３と、送受電時使用量設定値ａｓ１及びａｓ２との具体例を示す表である。
【図４】図３の送受電時使用量設定値ａｓ１及びａｓ２の計算方法を示すグラフである。
【図５】図２のステップＳ１５において表示部１７に表示される送電中アイコン１００の一例を示す図である。
【図６】図１の電力シェアリングシステムの動作を示すシーケンス図である。
【図７】本発明の第２の実施形態に係る電力シェアリング処理を示すフローチャートである。
【図８】本発明の第３の実施形態において、図１の電子機器１と２との間で送受信される電池情報Ｂ１に含まれる電池電力使用量ａ１及び１分後の電池電力使用量ａ１ｆの各計算方法を示す表である。
【図９】本発明の第４の実施形態に係る電力シェアリング処理を示すフローチャートである。
【図１０】図９のステップＳ２３及びＳ２６において実行される予測値更新処理を示すフローチャートである。
【図１１】本発明の第５の実施形態に係る電力シェアリング処理を示すフローチャートである。
【図１２】図１１のステップＳ４４において実行される強制送電処理を示すフローチャートである。
【図１３】図１１のステップＳ４５において実行される強制送電処理を示すフローチャートである。
【図１４】本発明の第６の実施形態に係る電力シェアリング処理を示すフローチャートである。
【発明を実施するための形態】
【００１１】
以下、本発明に係る実施形態について図面を参照して説明する。なお、以下の各実施形態において、同様の構成要素については同一の符号を付している。
【００１２】
本発明に係る実施形態を得るに至った経緯．
特許文献１記載の電子機器によれば、互いに接続された２つの電子機器で各電池の残量の情報を共有できるものの、例えば各電池の残量の情報に基づいて電子機器間で電池電力を送受電できないので、１つの電子機器の電池の残量がなくなると２つの電子機器からなるシステムの動作が停止してしまった。このため、電子機器の各電池の情報に基づいて電子機器間で送受電を行える電力シェアリングシステムを提供することを目的として、本発明に係る実施形態を得るに至った。
【００１３】
第１の実施形態．
図１は、本発明の第１の実施形態に係る電力シェアリングシステムの構成を示すブロック図であり、図２は、図１の制御部１０によって実行される電力シェアリング処理を示すフローチャートである。また、図３は、図１の電子機器１と２との間で送受信される電池情報Ｂ１及びＢ２と、電池情報Ｂ１及びＢ２に基づいて制御部１０及び２０によって計算される残り使用時間予測値Ｔ１及びＴ２と、送受電時残り使用時間予測値Ｔ３と、送受電時使用量設定値ａｓ１及びａｓ２との具体例を示す表である。
【００１４】
図１において、本実施形態に係る電力シェアリングシステムは、ＨＤＭＩ（High-Definition Multimedia Interface）規格に準拠したＨＤＭＩケーブル５を介して互いに接続された電子機器１と電子機器２とを備えて構成される。ここで、電子機器１は、制御部１０と、二次電池１１と、インタフェース回路１２と、表示部１７と、記憶部１８とを備えて構成され、インタフェース回路１２は、インタフェース処理回路１３と、送電回路１４と、受電回路１５と、充電回路１６と、スイッチＳＷ１とを備えて構成される。また、電子機器２は、制御部２０と、二次電池２１と、インタフェース回路２２と、表示部２７と、記憶部２８とを備えて構成され、インタフェース回路２２は、インタフェース処理回路２３と、送電回路２４と、受電回路２５と、充電回路２６と、スイッチＳＷ２とを備えて構成される。さらに、ＨＤＭＩケーブル５は、ＣＥＣ（Consumer Electronics Control）ラインであるデータ伝送路３と、ＨＥＣ（HDMI Ethernet(登録商標) Channel）ラインである電力伝送路４とを含む。なお、ＨＤＭＩケーブル５のＣＥＣライン以外のラインをデータ伝送路３として用いてもよく、ＨＥＣライン以外のラインを電力伝送路４として用いてもよい。
【００１５】
図１において、電子機器１は二次電池１１により駆動される。また、制御部１０は例えばＣＰＵ（Central Processing Unit）であり、詳細後述するように、表示部１７、記憶部１８、送電回路１４、充電回路１５及びスイッチＳＷ１を制御するほか、図２の電力シェアリング処理のプログラムを含む種々のソフトウェアの機能を実行する。また、表示部１７は、液晶表示部などの表示部であり、電子機器１の動作状態の表示を行う。さらに、記憶部１８は、制御部１０のワーキングエリアとして使用されてプログラムの実行時に発生する一時的なデータを記憶する。インタフェース処理回路１３は、データ伝送路３を介して電子機器２のインタフェース処理回路２３に接続され、インタフェース処理回路２３から受信した信号及びデータを受信して制御部１０に出力する一方、制御部１０からの信号及びデータをインタフェース処理回路２３に対し信号変換及びプロトコル変換などのＨＤＭＩに準拠した通信に係るインタフェース処理を実行してインタフェース処理回路２３に送信する。
【００１６】
また、図１において、スイッチＳＷ１は、制御部１０からの制御の下で、送電回路１４又は受電回路１５を選択的に電力伝送路４に接続する。送電回路１４は、制御部１０からの制御の下で、二次電池１１からの電力をスイッチＳＷ１及び電力伝送路４を介して電子機器２に送電する。また、受電回路１５は、制御部１０からの制御の下で、電子機器２から電力伝送路４及びスイッチＳＷ１を介して受電した電力を充電回路１６に出力する。充電回路１６は、受電回路１５からの電力により二次電池１１を充電する。
【００１７】
図１において、電子機器２は二次電池２１により駆動される。また、制御部２０は例えばＣＰＵであり、詳細後述するように、表示部２７、記憶部２８、送電回路２４、充電回路２５及びスイッチＳＷ２を制御するほか、図２の電力シェアリング処理のプログラムと同様のプログラム含む種々のソフトウェアの機能を実行する。また、表示部２７は、液晶表示部などの表示部であり、電子機器２の動作状態の表示を行う。さらに、記憶部２８は、制御部２０のワーキングエリアとして使用されてプログラムの実行時に発生する一時的なデータを記憶する。インタフェース処理回路２３は、データ伝送路３を介して電子機器２のインタフェース処理回路２３に接続され、インタフェース処理回路２３から受信した信号及びデータを受信して制御部２０に出力する一方、制御部２０からの信号及びデータインタフェース処理回路２３に対し信号変換及びプロトコル変換などのＨＤＭＩに準拠した通信に係るインタフェース処理を実行してインタフェース処理回路２３に送信する。
【００１８】
また、図１において、スイッチＳＷ２は、制御部２０からの制御の下で、送電回路２４又は受電回路２５を選択的に電力伝送路４に接続する。送電回路２４は、制御部２０からの制御の下で、二次電池２１からの電力をスイッチＳＷ２及び電力伝送路４を介して電子機器２に送電する。また、受電回路２５は、制御部２０からの制御の下で、電子機器２から電力伝送路４及びスイッチＳＷ２を介して受電した電力を充電回路２６に出力する。充電回路２６は、受電回路２５からの電力により二次電池２１を充電する。
【００１９】
次に、図２を参照して、図１の制御部１０によって実行される電力シェアリング処理を説明する。なお、電子機器２の制御部２０も図２の電力シェアリング処理と同様の処理を実行する。まず始めに、ステップＳ１において、制御部１０は、電子機器２との間で接続確認処理を実行する。具体的には、制御部１０は、電子機器２との間でハンドシェイクのためのデータを送受信して接続確認を行う。なお、ユーザによる所定の手動操作に従って、ステップＳ１の処理を実行してもよく、電子機器２がＨＤＭＩケーブル５を介してインタフェース回路１２に接続されたことを電気的に検知するための検知回路をインタフェース回路１２に設け、当該検知回路が電子機器２を検知したか否かに基づいてステップＳ１の処理を実行してもよい。
【００２０】
ステップＳ１に続いてステップＳ２において、制御部１０は二次電池１１の電池情報Ｂ１を電子機器２に送信し、二次電池２１の電池情報Ｂ２を電子機器２から受信する。ここで、図３に示すように、二次電池１１の電池情報Ｂ１は、電池残容量ｒ１（Ａｈ）と、電池電力使用量ａ１（Ａｈ／分）とを含む。なお、図３において、時間の単位を「分」としているが、本発明はこれに限られず、「秒」などの別の時間単位であってもよい。また、電池容量の単位を「Ａｈ」としているが、本発明はこれに限られず、別の容量単位であってもよい。ステップＳ２において、制御部１０は二次電池１１の電池残容量ｒ１及び電池電力使用量ａ１を、例えば二次電池１１から供給される電流を検出することにより取得して、データ伝送路３を介して電子機器２に送信する。また、二次電池２１の電池情報Ｂ２は、電池残容量ｒ２と、電池電力使用量ａ２とを含む。制御部２０は、二次電池２１の電池残容量ｒ２及び電池電力使用量ａ２を、制御部１０と同様に例えば二次電池２１から供給される電流を検出することにより取得して、データ伝送路３を介して電子機器１に送信する。
【００２１】
ステップＳ２に続いて、ステップＳ３において、制御部１０は、電池情報Ｂ１及びＢ２に基づいて、二次電池１１の残り使用時間予測値Ｔ１と、二次電池２１の残り使用時間予測値Ｔ２と、二次電池１１及び２１の送受電時残り使用時間予測値Ｔ３と、二次電池１１の送受電時使用量設定値ａｓ１と、二次電池２１の送受電時使用量設定値ａｓ２とを計算する。ここで、図３に示すように、残り使用時間予測値Ｔ１は、電池残容量ｒ１を電池電力使用量ａ１で割ることにより計算され、残り使用時間予測値Ｔ２は、電池残容量ｒ２を電池電力使用量ａ２で割ることにより計算される。
【００２２】
図４は、図３の送受電時使用量設定値ａｓ１及びａｓ２の計算方法を示すグラフである。本実施形態において、制御部１０は、電池情報Ｂ１及びＢ２に基づいて、二次電池１１及び２１の電池残容量が実質的に同時にゼロになるように、電子機器１と２との間の送受電量（送受電時使用量設定値ａｓ１及びａｓ２）を設定する。図４において、二次電池１１の現在の電池残容量ｒ１と電池電力使用量ａ１を用いて、二次電池１１の電池残容量ｙ１は次式に従って時間変化すると予測される。
【００２３】
ｙ１＝ｒ１−ａ１・ｔ
【００２４】
同様に、二次電池２１の電池残容量ｙ２は次式に従って時間変化すると予測される。
【００２５】
ｙ２＝ｒ２−ａ２・ｔ
【００２６】
ここで、二次電池１１と１２との間で送受電を行い、二次電池１１及び２１の電池電力使用量ａ１及びａ２を変化量Δｘ（＞０）だけ変化させた場合、二次電池１１の送受電時の電池残容量ｙｓ１の傾きに対応する送受電時使用量設定値ａｓ１は（ａ１−Δｘ）になる一方、二次電池２１の送受電時の電池残容量ｙｓ２の傾きに対応する送受電時使用量設定値ａｓ２は（ａ２＋Δｘ）になる（ただし、ａ１，ａ２，ｒ１，ｒ２＞０）。従って、二次電池１１及び１２の各電池残容量がゼロになるまでの時間が同一になるとき、次式が成り立つ。
【００２７】
−（ｒ１／（ａ１−Δｘ））＝−（ｒ２／（ａ２＋Δｘ））
【００２８】
従って、変化量Δｘは次式で表される。
【００２９】
Δｘ＝（ｒ２×ａ１−ｒ１×ａ２）／（ｒ１＋ｒ２）
【００３０】
上式によって計算される変化量Δｘを電池電力使用量ａ１及びａ２に加減算することにより、送受電時使用量設定値ａｓ１及びａｓ２を計算できる。
【００３１】
図２に戻り参照すると、ステップＳ３において制御部１０は、上述したように送受電時使用量設定値ａｓ１及びａｓ２を計算した後、電池残容量ｒ１を送受電時使用量設定値ａｓ１で割ることにより、送受電時残り使用時間予測値Ｔ３を計算する。
【００３２】
図２において、ステップＳ３に続いてステップＳ４において、制御部１０は電池残容量ｒ１が電池残容量ｒ２より小さいか否かを判断し、ＹＥＳの場合は電子機器１の動作モードを受電モードに切り換えてステップＳ５に進む一方、ＮＯの場合は電子機器２の動作モードを送電モードに切り換えてステップＳ１５に進む。
【００３３】
ステップＳ５において、制御部１０はスイッチＳＷ１を受電回路１５側に切り換え、受電回路１５を動作させる。このとき、制御部１０は、二次電池１１の使用量が送受電時使用量設定値ａｓ１になりかつ二次電池２１の使用量が送受電時使用量設定値ａｓ２になるように、受電回路１５を制御する。これにより、受電回路１５は、二次電池１１の使用量が送受電時使用量設定値ａｓ１になるように二次電池２１からの電力を受電して充電回路１６に出力し、充電回路１６は二次電池１１を充電する。次にステップＳ６において、制御部１０は、ステップＳ２と同様に、電池情報Ｂ１を電子機器２に送信し、電池情報Ｂ２を電子機器２から受信する。さらに、ステップＳ７において、制御部１０は、ステップＳ３と同様に、電池情報Ｂ１及びＢ２に基づいて、各値Ｔ１，Ｔ２，Ｔ３，ａｓ１，ａｓ２を計算し、ステップＳ８に進む。ステップＳ８において、電池残容量ｒ１が電池残容量ｒ２より大きいか否かが判断され、ＹＥＳのときは受電モードを終了して電力シェアリング処理を終了する一方、ＮＯのときはステップＳ６に戻る。
【００３４】
図２のステップＳ１５において、制御部１０はスイッチＳＷ１を送電回路１４側に切り換え、送電中であることをユーザに通知する送電中アイコン１００を表示部１７に表示する。このとき、制御部１０は、二次電池１１の使用量が送受電時使用量設定値ａｓ１になりかつ二次電池２１の使用量が送受電時使用量設定値ａｓ２になるように、送電回路１４を制御する。さらに、受電回路２５は、二次電池１１からの電力を受電して充電回路２６に出力し、充電回路２６は二次電池２１を充電する。図５は、図２のステップＳ１５において表示部１７に表示される送電中アイコン１００の一例を示す図である。続いて、ステップＳ１６において、制御部１０は、ステップＳ２と同様に、電池情報Ｂ１を電子機器２に送信し、電池情報Ｂ２を電子機器２から受信する。さらにステップＳ１７において、ステップＳ３と同様に、電池情報Ｂ１及びＢ２に基づいて、各値Ｔ１，Ｔ２，Ｔ３，ａｓ１，ａｓ２を計算し、ステップＳ１８に進む。ステップＳ１８において、電池残容量ｒ１が電池残容量ｒ２より小さいか否かが判断され、ＹＥＳのときは送電モードを終了して電力シェアリング処理を終了する一方、ＮＯのときはステップＳ１６に戻る。
【００３５】
図２の電力シェアリング処理によれば、二次電池１１の電池残容量ｒ１が二次電池２１の電池残容量ｒ２より小さいとき電子機器１の動作モードは受電モードに切りかわる一方、二次電池１１の電池残容量ｒ１が二次電池２１の電池残容量ｒ２以上であるとき電子機器１の動作モードは送電モードに切りかわる。そして、電池残容量ｒ１と電池残容量ｒ２との大小関係が逆転するまで、送電又は受電が行われる。また、送電又は受電中は電池情報Ｂ１及びＢ２の送受信と各値Ｔ１，Ｔ２，Ｔ３，ａｓ１，ａｓ２の再計算とが繰り返される。
【００３６】
なお、図２において、ステップＳ６及びＳ１６における各処理の前に、所定の待機時間だけ待機してもよい。待機時間を短く設定するほど、現在の電池残容量ｒ１とｒ２との比較をより正確に行うことができ、待機時間を長く設定するほど、電池情報Ｂ１及びＢ２の送受信による電力消費を抑制できる。また、ステップＳ８でＹＥＳの場合及びステップＳ１８でＹＥＳの場合、電力シェアリング処理を終了せずに、ステップＳ１又はＳ２に戻ってもよい。
【００３７】
図６は、図１の電力シェアリングシステムの動作を示すシーケンス図である。図６において、電子機器１と２とは互いに独立に動作し、電子機器１は図２の電力シェアリング処理を実行する一方、電子機器２は図２の電力シェアリング処理と同様の電力シェアリング処理を実行する。まず始めに、制御部１０及び２０において図２のステップＳ２の接続確認処理が実行され、次に、電池情報Ｂ１及びＢ２が送受信される。これにより、電子機器１と２との間で電池情報Ｂ１及びＢ２が共有される。その後、電子機器１のうちの一方の動作モードが送電モードに切りかわり、他方の動作モードが受電モードに切りかわり、電池情報Ｂ１及びＢ２を互いに送受信しながら、一方の電子機器から他方の電子機器に二次電池の電力が送電される。
【００３８】
以上説明したように、本実施形態によれば、電子機器１と２との間で電池情報Ｂ１及びＢ２を送受信して共有し、二次電池１１及び２１のうち電池残容量が多い二次電池から他方の二次電池に、二次電池１１及び２１の電池残容量が実質的に同時にゼロになるように自動的に送電できる。従って、二次電池１１及び２１のうちの一方の電池残容量が他方の電池残容量より小さい場合でも、二次電池１１及び２１の各電力を融通することにより、電池残容量が小さい二次電池を有する電子機器の使用時間を延長できる。これにより、電子機器１及び２からなるシステム全体の使用可能時間を延長できる。また、二次電池１１及び２１のうちの一方の二次電池から他方の二次電池に送電中に電池情報Ｂ１及びＢ２の送受信と送受電時使用量設定値ａｓ１及びａｓ２の再計算とを繰り返して実行するので、電子機器１及び２における二次電池１１及び２１の使用量が変化しても、送受電時使用量設定値ａｓ１及びａｓ２を補正しながら送電及び受電を続けることができる。
【００３９】
また、二次電池１１及び２１の電池残容量が実質的に同時にゼロになるように送受電時使用量設定値ａｓ１及びａｓ２を計算するので、電子機器１及び２を最も長い時間動作させるように送電を制御できる。
【００４０】
さらに、送電中に送電中アイコン１００を表示部１７及び２７に表示するので、送電中であることをユーザに通知してユーザの混乱を防ぐことができる。また、一般に、二次電池により駆動される電子機器は表示部を備えており、二次電池の残容量及び受電状態であることを表示部に表示する機能を有している。本実施形態によれば、このような電子機器に新たに表示部を設けることなく、送電中であることをユーザに通知できる。
【００４１】
なお、二次電池１１の電池総容量と二次電池２１の電池総容量が異なる場合でも、電池残容量ｒ１，ｒ２及び電池電力使用量ａ１，ａ２に基づいて送受電時使用量設定値ａｓ１及びａｓ２を計算できるので、上述したように、電池情報Ｂ１は電池残容量ｒ１及び電池電力使用量ａ１を含めばよく、電池情報Ｂ２は電池残容量ｒ２及び電池電力使用量ａ２を含めばよい。
【００４２】
第２の実施形態．
図７は、本発明の第２の実施形態に係る電力シェアリング処理を示すフローチャートである。本実施形態に係る電力シェアリング処理は、図２の電力シェアリング処理に比較して、ステップＳ４、Ｓ８及びＳ１８における各処理をステップＳ４Ａ、Ｓ８Ａ及びＳ１８Ａにおける各処理に置き換えたものである。図７におけるその他のステップＳ１〜Ｓ３、Ｓ５〜Ｓ７及びＳ１５〜Ｓ１７における各処理は、図２と同様であるので説明を省略する。なお、本実施形態において、制御部２０は図７の電力シェアリング処理と同様の電力シェアリング処理を実行する。
【００４３】
図７のステップＳ４Ａにおいて、制御部１０は二次電池１１の残り使用時間予測値Ｔ１が残り使用時間予測値Ｔ２より短いか否かを判断し、ＹＥＳの場合は電子機器１の動作モードを受電モードに切り換えてステップＳ５に進む一方、ＮＯの場合は電子機器２の動作モードを送電モードに切り換えてステップＳ１５に進む。また、ステップＳ８Ａにおいて、制御部１０は、残り使用時間予測値Ｔ１が残り使用時間予測値Ｔ２より長いか否かを判断し、ＹＥＳのときは受電モードを終了して電力シェアリング処理を終了する一方、ＮＯのときはステップＳ６に戻る。さらに、ステップＳ１８Ａにおいて、制御部１０は、残り使用時間予測値Ｔ１が残り使用時間予測値Ｔ２より短いか否かを判断し、ＹＥＳのときは送電モードを終了して電力シェアリング処理を終了する一方、ＮＯのときはステップＳ１６に戻る。
【００４４】
本実施形態は、電子機器１と２との間で電池情報Ｂ１及びＢ２を送受信して共有し、二次電池１１及び２１のうち残り使用時間予測値が大きい二次電池から他方の二次電池に、二次電池１１及び２１の電池残容量が実質的に同時にゼロになるように自動的に送電できる。従って、二次電池１１及び２１のうちの一方の残り使用時間予測値が他方の残り使用時間予測値より小さい場合でも、二次電池１１及び２１の各電力を融通することにより、残り使用時間予測値が小さい二次電池を有する電子機器の使用時間を延長できる。これにより、電子機器１及び２からなるシステム全体の使用可能時間を延長できる。
【００４５】
第３の実施形態．
図８は、本発明の第３の実施形態において、図１の電子機器１と２との間で送受信される電池情報Ｂ１に含まれる電池電力使用量ａ１及び１分後の電池電力使用量ａ１ｆの各計算方法を示す表である。本実施形態において、二次電池１１の電池情報Ｂ１は、図３の電池残容量ｒ１及び電池電力使用量ａ１に加えて、１分後の電池電力使用量ａ１ｆをさらに含む。また、二次電池２１の電池情報Ｂ２は、図３の電池残容量ｒ２及び電池電力使用量ａ２に加えて、１分後の電池電力使用量ａ２ｆをさらに含む。
【００４６】
本実施形態において、制御部１０は、例えば４つのアプリケーションＡ，Ｂ，Ｃ及びＤをそれぞれ所定のタイミングで実行している。図８に示すように、記憶部１８は、各アプリケーションＡ〜Ｄの現在の実行状態の情報と、各アプリケーションＡ〜Ｄの１分後の実行予定の情報とを記憶している。ここで、各アプリケーションＡ〜Ｄの１分後の実行予定は、これまでの電子機器１の使用状況に基づいて制御部１０により予測され、またはユーザにより手動で入力される。また、記憶部１８は、各アプリケーションＡ，Ｂ，Ｃ及びＤの実行時の電池電力使用量ａａ，ａｂ，ａｃ及びａｄを記憶している。ここで、電池電力使用量ａａ，ａｂ，ａｃ及びａｄ毎に所定の固定値をあらかじめ記憶部１８に記憶してもよく、アプリケーションＡ〜Ｄの実行時に制御部１０により電池電力使用量ａａ，ａｂ，ａｃ及びａｄを測定してもよい。制御部１０は、現在実行されているアプリケーションの電池電力使用量の総和を計算することにより、電池電力使用量ａ１を取得する。また、制御部１０は、１分後に実行される予定のアプリケーションの電池電力使用量の総和を計算することにより、１分後の電池電力使用量ａ１ｆを取得する。なお、制御部２０も制御部１０と同様に、電池電力使用量ａ２及び分後の電池電力使用量ａ２ｆを取得する。
【００４７】
本実施形態によれば、二次電池１１の電池残容量ｙ１は、次式に従って時間変化すると予測される。
【００４８】
ｙ１＝ｒ１−ａ１・ｔ    （現在から１分後まで）
ｙ１＝ｒ１−ａ１ｆ・ｔ  （現在から１分後以降）
【００４９】
また、二次電池２１の電池残容量ｙ２は、次式に従って時間変化すると予測される。
【００５０】
ｙ２＝ｒ２−ａ２・ｔ    （現在から１分後まで）
ｙ２＝ｒ２−ａ２ｆ・ｔ  （現在から１分後以降）
【００５１】
制御部１０及び２０は、電池残容量ｒ１，ｒ２と、電池電力使用量ａ１，ａ２と、１分後の電池電力使用量ａ１ｆ，ａ２ｆとに基づいて、残り使用時間予測値Ｔ１及びＴ２を計算し、二次電池１１及び２１の電池残容量が実質的に同時にゼロになるように送受電時使用量設定値ａｓ１及びａｓ２を計算し、送受電時残り使用時間予測値Ｔ３を計算する。
【００５２】
一般に、二次電池１１は、電子機器１によって実行されるアプリケーションＡ〜Ｄの実行時に消費され、二次電池２１は電子機器２によって実行されるアプリケーションの実行時に消費される。本実施形態によれば、１分後に実行されるアプリケーションの電池電力使用量ａ１ｆ及びａ２ｆを用いるので、第１及び第２の実施形態に比較して高い精度で残り使用時間予測値Ｔ１及びＴ２を計算できる。このため、第１及び第２の実施形態に比較して、二次電池１１及び２１の電池残容量を実質的に同時にゼロするための送受電時使用量設定値ａｓ１及びａｓ２を高い精度で計算できる。
【００５３】
なお、本実施形態において、制御部１０は、例えば図２及び図７のステップＳ６及びＳ７ならびにステップＳ１６及びＳ１７において、１分後に電子機器１及び２において実行される予定のアプリケーションが、現在電子機器１及び２において実行されているアプリケーションと異なる場合は電池情報Ｂ１及びＢ２を送受信して各値Ｔ１，Ｔ２，Ｔ３，ａｓ１，ａｓ２を再計算する一方、同一である場合は電池情報Ｂ１及びＢ２を送受信せず、送受電時使用量設定値ａｓ１及びａｓ２を再計算せずに各値Ｔ１，Ｔ２，Ｔ３のみを再計算してもよい。これにより、アプリケーションＡ〜Ｄの実行状態を考慮し、かつ最小限の通信回数及び最小限の再計算回数で送受電時使用量設定値ａｓ１及びａｓ２を更新できる。従って、上記各実施形態に比較して二次電池１１及び２１の電力の使用量を削減できる。また、電池情報Ｂ１及びＢ２を送受信する前に所定の待機時間だけ待機することにより、通信回数を削減できるので、アプリケーション実行状態が頻繁に変化しても、電力ロスを抑制できる。
【００５４】
なお、本実施形態において、１分後の各アプリケーションＡ〜Ｄの実行予定の情報を用いて１分後の電池電力使用量ａ１ｆ及びａ２ｆを計算したが、本発明はこれに限られず、少なくとも１つの将来の所定のタイミングにおける各アプリケーションＡ〜Ｄの実行予定の情報を用いて１分後の電池電力使用量ａ１ｆ及びａ２ｆを計算すればよい。
【００５５】
また、上記各実施形態及び以下の各実施形態において、本実施形態に係る電池情報Ｂ１及びＢ２を用いてもよい。
【００５６】
第４の実施形態．
図９は、本発明の第４の実施形態に係る電力シェアリング処理を示すフローチャートであり、図１０は、図９のステップＳ２３及びＳ２６において実行される予測値更新処理を示すフローチャートである。なお、本実施形態において、制御部２０は図９の電力シェアリング処理と同様の電力シェアリング処理を実行する。
【００５７】
図９のステップＳ１において、まず始めに、制御部１０は、電子機器２との間で接続確認処理を実行し、ステップＳ２において電池情報Ｂ１を電子機器２に送信し、電池情報Ｂ２を電子機器２から受信する。次に、ステップＳ３Ａにおいて、制御部１０は、電池情報Ｂ１及びＢ２に基づいて各値Ｔ１，Ｔ２，Ｔ３，ａｓ１，ａｓ２を計算し、記憶部１８に記憶する。次に、ステップＳ４Ｂにおいて、制御部１０は、電池残容量ｒ１が所定のしきい値ｒｔ１以下であるか否かを判断し、ＹＥＳの場合は電子機器１の動作モードを受電モードに切り換えてステップＳ５に進む一方、ＮＯの場合は電子機器２の動作モードを送電モードに切り換えてステップＳ１５に進む。
【００５８】
ステップＳ５において、制御部１０はスイッチＳＷ１を受電回路１５側に切り換え、受電回路１５を動作させる。これにより、受電回路１５は二次電池２１からの電力を受電して充電回路１６に出力し、充電回路１６は二次電池１１を充電する。次に、ステップＳ２１において、制御部１０は、電池残容量ｒ１がしきい値ｒｔ２以上であるか否かを判断することにより、二次電池１１の充電が完了したか否かを判断し、ＹＥＳのときは送電モードを終了して電力シェアリング処理を終了する一方、ＮＯのときはステップＳ２２に進む。ステップＳ２２において、制御部１０は電池残容量ｒ２がしきい値ｒｔ１以下であるか否かを判断し、ＹＥＳのときは送電モードを終了して電力シェアリング処理を終了する一方、ＮＯのときはステップＳ２３に進む。そして、ステップＳ２３において図１０の予測値更新処理を実行してステップＳ２１に戻る。
【００５９】
図９のステップＳ１５において、制御部１０はスイッチＳＷ１を送電回路１４側に切り換え、表示部１７に送電中アイコン１００を表示する。次に、ステップＳ２４において、制御部１０は、電池残容量ｒ１がしきい値ｒｔ１以下であるか否かを判断し、ＹＥＳのときは送電モードを終了して電力シェアリング処理を終了する一方、ＮＯのときはステップＳ２５に進む。ステップＳ２５において、制御部１０は、電池残容量ｒ２がしきい値ｒｔ２以上であるか否かを判断することにより電子機器２の受電が完了したか否かを判断し、ＹＥＳのときは送電モードを終了して電力シェアリング処理を終了する一方、ＮＯのときはステップＳ２６に進む。そして、ステップＳ２６において図１０の予測値更新処理を実行してステップＳ２４に戻る。
【００６０】
なお、図９において、しきい値ｒｔ２はしきい値ｒｔ１より大きいように設定され、例えば、しきい値ｒｔ１は送電可能な電池残容量の最低値である０．４８Ａｈに設定され、しきい値ｒｔ２は充電終了タイミングにおける電池残容量である０．７２Ａｈに設定される。また、ステップＳ２３及びＳ２６における各処理の前に、所定の待機時間だけ待機してもよい。
【００６１】
図１０の予測値更新処理において、制御部１０は以下の処理を実行する。まず始めに、ステップＳ３１において、制御部１０は電池情報Ｂ１を電子機器２に送信し、電池情報Ｂ２を電子機器２から受信する。次に、ステップＳ３２において、制御部１０は、電池電力使用量ａ１が記憶部１８に記憶された送受電時使用量設定値ａｓ１と等しく、かつ電池電力使用量ａ２が記憶部１８に記憶された送受電時使用量設定値ａｓ２と等しいか否かを判断し、ＹＥＳのときはステップＳ３３に進む一方、ＮＯのときはステップＳ３４に進む。そして、ステップＳ３３において制御部１０は、送受電時使用量設定値ａｓ１及びａｓ２を再計算することなく、残り使用時間予測値Ｔ１，Ｔ２及び送受電時残り使用時間予測値Ｔ３を計算し、記憶部１８に記憶して、図９の電力シェアリング処理に戻る。また、ステップＳ３４において、制御部１０は、電池情報Ｂ１及びＢ２に基づいて、各値Ｔ１，Ｔ２，Ｔ３，ａｓ１，ａｓ２を計算し、記憶部１８に記憶して、図９の電力シェアリング処理に戻る。なお、ステップＳ３４における計算処理は、例えば、図２のステップＳ３における計算処理と同様の計算処理である。
【００６２】
従って、本実施形態によれば、制御部１０は電池残容量ｒ１がしきい値ｒｔ１以下であるときに動作モードを受電モードに切り換え、電池残容量ｒ１がしきい値ｒｔ２未満でありかつ電池残容量ｒ２がしきい値ｒｔ１より大きい間は、二次電池２１の電力を受電する。そして、電池残容量ｒ１がしきい値ｒｔ２以上になって二次電池１１の充電が完了したとき、又は、電池残容量ｒ２がしきい値ｒｔ１以下になって送電不可能になったとき、電力シェアリング処理を終了する。また、制御部１０は電池残容量ｒ１がしきい値ｒｔ１より大きいときに動作モードを送電モードに切り換え、電池残容量ｒ１がしきい値ｒｔ１より大きくかつ電池残容量ｒ２がしきい値ｒｔ２未満である間は、二次電池２１に送電する。そして、電池残容量ｒ１がしきい値ｒｔ１以下になって送電不可能になったとき、又は、電池残容量ｒ２がしきい値ｒｔ２以上になって二次電池２１の充電が終了したとき、電力シェアリング処理を終了する。
【００６３】
本実施形態によれば、しきい値ｒｔ２はしきい値ｒｔ１より大きいように設定されるので、電子機器１及び２の動作モードが送電モードと受電モードとの間で頻繁に切りかわること、及び送電開始又は受電開始直後に電力シェアリング処理が終了することを防止できる。従って、上記各実施形態に比較して、総受電の切り換えに伴う電力ロスを削減できる。
【００６４】
また、図１０の予測値更新処理において、現在の電池電力使用量ａ１が記憶部１８に記憶された送受電時使用量設定値ａｓ１と等しく、かつ現在の電池電力使用量ａ２が記憶部１８に記憶された送受電時使用量設定値ａｓ２と等しいときは、送受電時使用量設定値ａｓ１及びａｓ２を再計算することなく、残り使用時間予測値Ｔ１，Ｔ２及び送受電時残り使用時間予測値Ｔ３を計算するので、上記各実施形態に比較して、送受電時使用量設定値ａｓ１及びａｓ２の再計算処理の回数を削減して電力ロスを削減できる。
【００６５】
なお、図２及び図７のステップＳ３を図９のステップＳ３Ａに置き換え、図２及び図７のステップＳ６及びＳ７ならびに図２及び図７のステップＳ１６及びＳ１７を図１０の予測値更新処理に置き換えてもよい。
【００６６】
第５の実施形態．
図１１は、本発明の第５の実施形態に係る電力シェアリング処理を示すフローチャートである。また、図１２は、図１１のステップＳ４４において実行される強制送電処理を示すフローチャートであり、図１３は、図１１のステップＳ４５において実行される強制送電処理を示すフローチャートである。なお、本実施形態において、制御部２０は図１１の電力シェアリング処理と同様の電力シェアリング処理を実行する。
【００６７】
本実施形態において、図１の電子機器１において、二次電池１１の電池残容量ｒ１が所定の動作不能しきい値以下に低下して電子機器２との間でデータ信号を送受信できないとき、及び二次電池１１の電池残容量ｒ１が動作不能しきい値より大きいが動作不能しきい値より大きい省電力しきい値以下であるとき（省電力モード）、電子機器１の動作モードは受電モードにされる。同様に、二次電池２１の電池残容量ｒ２が所定の動作不能しきい値以下に低下して電子機器２との間でデータ信号を送受信できないとき、及び二次電池２１の電池残容量ｒ２が動作不能しきい値より大きいが動作不能しきい値より大きい省電力しきい値以下であるとき（省電力モード）、電子機器２の動作モードは受電モードにされる。なお、制御部１０は、電子機器１の動作モードが省電力モードであるとき、二次電池１１が所定値以下になるように制御し、省電力モードを示す省電力モード信号を出力する。同様に、制御部２０は、電子機器２の動作モードが省電力モードであるとき、二次電池２１が所定値以下になるように制御し、省電力モードを示す省電力モード信号を出力する。なお、制御部１０は、ユーザからの指示に従って電子機器１を省電力モードに設定し、電子機器１の動作モードを受電モードにし、省電力モード信号を出力してもよい。制御部１０と同様に、制御部２０は、ユーザからの指示に従って電子機器２を省電力モードに設定し、電子機器２の動作モードを受電モードにし、省電力モード信号を出力してもよい。
【００６８】
図１１において、まず始めに、ステップＳ１において、制御部１０は、電子機器２との間で接続確認処理を実行する。次に、ステップＳ４１において、電子機器２からデータ信号を受信したか否かを判断し、ＹＥＳのときはステップＳ４２に進む一方、ＮＯのときはステップＳ４４に進む。すなわち、電子機器１と２とが接続されたものの電子機器２の二次電池２１の二次電池２１の電池残容量ｒ２が所定の動作不能しきい値以下に低下して電子機器２がデータ信号を送受信できないとき、ステップＳ４１においてＮＯと判断される。このとき、ステップＳ４４において図１２の強制送電処理を実行し、ステップＳ４３に進む。
【００６９】
また、図１１のステップＳ４２において、制御部１０は、電子機器２から受信したデータ信号が、電子機器２の動作モードが省電力モードであることを示す省電力モード信号であるか否かを判断し、ＹＥＳのときはステップＳ４５に進み図１３の強制送電処理を実行する一方、ＮＯのときはステップＳ４３に進む。ステップＳ４３において、制御部１０は、図２のステップＳ２〜Ｓ８，Ｓ１５〜Ｓ１８の処理を実行して電力シェアリング処理を終了する。
【００７０】
次に、図１２の強制送電処理を説明する。まず始めに、ステップＳ５１において、制御部１０はスイッチＳＷ１を送電回路１４側に切り換え、表示部１７に送電中アイコン１００を表示する。このとき、制御部１０は送受電時使用量設定値ａｓ１を最大の電力使用量に設定する。これにより、電子機器２への送電が開始される。次に、制御部１０は、ステップＳ５２において、電池残容量ｒ１がしきい値ｒｔ１以下であるか否かを判断し、ＹＥＳのときは強制送電処理を終了し、これにより図１１の電力シェアリング処理を終了する。一方、ステップＳ５２においてＮＯのときはステップＳ５３に進む。ここで、しきい値ｒｔ１は、第４の実施形態と同様に、例えば、送電可能な電池残容量の最低値である０．４８Ａｈに設定される。
【００７１】
図１２のステップＳ５３において、制御部１０は、省電力モード信号以外のデータ信号を受信したか否かを判断し、ＹＥＳのときは電力シェアリング処理に戻り、図１１のステップＳ４３に進む一方、ＮＯのときはステップＳ５２に戻る。なお、ステップＳ５３において、電子機器２を起動して電子機器２からデータ信号を受信するために、制御部１０は、ステップＳ５３における判断処理の前に、所定の待機時間だけ待機した後に電子機器２を起動するためのウェイクアップシグナルを電子機器２に送信する。また、ステップＳ５３における判断処理の前に、ユーザが電子機器２を手動で起動してもよい。
【００７２】
なお、本実施形態においてステップＳ５１において自動的に送電を開始したが、本発明はこれに限られず、ユーザからの指示に従って送電を開始するか否かを決定してもよい。また、ステップＳ５１において送電を開始しても電子機器２に電流が流れない場合は、電子機器１と２との間の接続が切断されていることを意味するので、所定のエラー処理を実行して電力シェアリング処理を終了する。
【００７３】
次に、図１３の強制送電処理を説明する。まず始めに、ステップＳ６１において、制御部１０は、電子機器２に強制的に送電する強制送電モードを選択するか否かを指示するための選択画面を表示部１７に表示する。次に、ステップＳ６２において、制御部１０は、ユーザが強制送電モードを選択したか否かを判断し、ＹＥＳのときはステップＳ６３に進む一方、ＮＯのときは強制送電処理を終了し、これにより図１１の電力シェアリング処理を終了する。ステップＳ６３において、制御部１０はスイッチＳＷ１を送電回路１４側に切り換え、表示部１７に送電中アイコン１００を表示する。このとき、制御部１０は送受電時使用量設定値ａｓ１を最大の電力使用量に設定する。これにより、電子機器２への送電が開始される。
【００７４】
次に、ステップＳ６４において、制御部１０は電池残容量ｒ１がしきい値ｒｔ１以下であるか否かを判断し、ＹＥＳのときは強制送電処理を終了し、これにより図１１の電力シェアリング処理を終了する。一方、ステップＳ６４においてＮＯのときはステップＳ６５に進み、電子機器２が省電力モードを終了したか否かを判断する。ステップＳ６５においてＹＥＳのときは図１１のステップＳ４３に戻る一方、ＮＯのときはステップＳ６６に進む。さらに、ステップＳ６６において、制御部１０は、電池情報Ｂ１を電子機器２に送信し、電池情報Ｂ２を電子機器２から受信し、ステップＳ６４に戻る。
【００７５】
なお、ステップＳ６６における処理の前に所定の待機時間だけ待機してもよい。また、図１３において、始めに二次電池２１の電池総容量を取得し、省電力モードの電子機器２の二次電池２１への過充電を防ぐように送電を行ってもよい。また、ステップＳ６４において、しきい値ｒｔ１を十分に小さく設定することにより、実質的に二次電池１１の電池電力の全てを二次電池２１に送電できる。
【００７６】
なお、本実施形態において、電子機器１及び２はそれぞれ、電池情報Ｂ１及びＢ２に加えて省電力モード信号を送受信したが、本発明はこれに限られない。例えば、省電力モード信号を送受信せずに、負の値を有する電池電力使用量ａ１を、電子機器１が省電力モードであることを示すデータとして送受信してもよく、負の値を有する電池電力使用量ａ２を、電子機器２が省電力モードであることを示すデータとして送受信してもよい。また、ユーザが所定の操作を行うことにより、接続先の電子機器１又は２が省電力モードであることを手動で指示してもよい。
【００７７】
以上説明したように、二次電池２１の二次電池２１の電池残容量ｒ２が所定の動作不能しきい値以下に低下して電子機器２がデータ信号を送受信できないとき、電子機器１は、電子機器２からデータ信号が送信され、又は二次電池１１の電池残容量ｒ１がしきい値ｒｔ１以下になるまで電子機器２に送電する。二次電池１１及び２１のうちの一方の電池残容量が例えばゼロになった場合でも、当該二次電池を備えた電子機器を、データ信号を送受信できる状態まで復帰させることができる。
【００７８】
また、本実施形態によれば、省電力モードの電子機器に強制的に送電を行うことができるので、当該電子機器を復帰させることができる。
【００７９】
第６の実施形態．
上述した各実施形態において、２つの電子機器１及び２は互いに独立して電力シェアリング処理を実行した。これに対して、本実施形態に係る電力シェアリング処理では、電池残容量がしきい値ｒｔ１以下である二次電池を有する電子機器をスレーブ機器として動作させ、電池残容量がしきい値ｒｔ１より大きい二次電池を有する電子機器をマスター機器として動作させる。
【００８０】
図１４は、本発明の第６の実施形態に係る電力シェアリング処理を示すフローチャートである。なお、本実施形態において、制御部２０は図１４の電力シェアリング処理と同様の電力シェアリング処理を実行する。図１４の電力シェアリング処理は、図９の電力シェアリング処理において、ステップＳ３Ａの処理を図２のステップＳ３の処理に置き換え、ステップＳ２３の処理をステップＳ７１及びＳ７２の各処理に置き換え、ステップＳ２６の処理をステップＳ７３〜Ｓ７５の各処理に置き換えたものである。以下、図９の電力シェアリング処理との相違点のみを説明する。
【００８１】
図１４のステップＳ４Ｂにおいて、制御部１０は、電池残容量ｒ１が所定のしきい値ｒｔ１以下であるか否かを判断し、ＹＥＳの場合は電子機器１の動作モードをスレーブモードに切り換えてステップＳ５に進む一方、ＮＯの場合は電子機器２の動作モードをマスターモードに切り換えてステップＳ１５に進む。また、制御部１０は、電子機器１の動作モードがスレーブモードであり、電池残容量ｒ１がしきい値ｒｔ２未満であり（ステップＳ２１においてＮＯの場合。）、かつ電池残容量ｒ２がしきい値ｒｔ１より大きいとき（ステップＳ２２においてＮＯの場合。）、ステップＳ７１において電池情報Ｂ１を電子機器２に送信する。次に、ステップＳ７２において、各値Ｔ１，Ｔ２，Ｔ３，ａｓ１，ａｓ２を電子機器２から受信してステップＳ２１に戻る。
【００８２】
また、制御部１０は、電子機器１の動作モードがマスターモードであり、電池残容量ｒ１がしきい値ｒｔ１より大きく（ステップＳ２４においてＮＯの場合。）、かつ電池残容量ｒ２がしきい値ｒｔ２より小さいとき（ステップＳ２５においてＮＯの場合。）、ステップＳ７３において電池情報Ｂ２を電子機器２から受信する。次に、ステップＳ７４において、制御部１０は二次電池１１及び１２の各値Ｔ１，Ｔ２，ａｓ１，ａｓ２を計算し、ステップＳ７５において、電池情報Ｂ１及び二次電池１１及び１２の各値Ｔ１，Ｔ２，ａｓ１，ａｓ２を電子機器２に送信してステップＳ２４に戻る。
【００８３】
従って、本実施形態によれば、電子機器１及び２のうちスレーブモードで動作する電子機器は、他方の電子機器に電池情報を送信し、各値Ｔ１，Ｔ２，Ｔ３，ａｓ１，ａｓ２を計算することなく、他方の電子機器の電池情報と、各値Ｔ１，Ｔ２，Ｔ３，ａｓ１，ａｓ２とを受信する。また、電子機器１及び２のうちマスターモードで動作する電子機器は、他方の電子機器の電池情報を受信し、各値Ｔ１，Ｔ２，Ｔ３，ａｓ１，ａｓ２を計算し、計算した各値Ｔ１，Ｔ２，Ｔ３，ａｓ１，ａｓ２と、自装置の電池情報とを他方の電子機器に送信する。
【００８４】
本実施形態によれば、マスターモードで動作する電子機器は、スレーブモードで動作する電子機器の代理演算を行うので、上記各実施形態に比較して、電池残容量がしきい値ｒｔ１以下の二次電池を有するスレーブモードで動作する電子機器の消費電力を削減できる。このため、電力伝送路４に流れる電流量を低減することができるため、電力伝送路４での電力ロス及び電力伝送路４の温度上昇を抑制できる。
【００８５】
なお、本実施形態において、１分後の電池電力使用量ａ１ｆ及びａ２ｆをそれぞれ含む第３の実施形態に係る電池情報Ｂ１及びＢ２を用いてもよい。これにより、スレーブモードで動作する電子機器の消費電力をさらに削減できる。
【００８６】
上記各実施形態に係る電子機器１、電子機器２、電力シェアリングシステム及び電力シェアリング処理は、データ伝送路３及び電力伝送路４を介して互いに接続された電子機器１及び電子機器２において、電池残容量が小さい電子機器を緊急的に使用したい場合に有用である。また、電池電力を共有しながらの通信を必要とするアプリケーションなどの用途にも応用できる。
【００８７】
なお、上記各実施形態において、電子機器１と２とをＨＤＭＩケーブル５を介して接続したが、本発明はこれに限られず、電池情報Ｂ１及びＢ２を送受信するためのデータ伝送路３及び二次電池１１及び２１の電力を送受電するための電力伝送路４を介して接続すればよい。
【００８８】
また、上記各実施形態において、送電中に送電中アイコン１００を表示部１７及び２７で表示したが、本発明はこれに限られず、受電中にも受電中であることを示す所定の表示を表示部１７及び２７に行ってもよい。
【００８９】
さらに、上記各実施形態において、制御部１０は、電池情報Ｂ１及びＢ２に基づいて、二次電池１１及び２１の電池残容量が実質的に同時にゼロになるように、送受電時使用量設定値ａｓ１及びａｓ２を設定したが、本発明はこれに限られない。制御部１０は、電池情報Ｂ１及びＢ２に基づいて、二次電池１１及び２１の電池残容量が実質的に同時に同一の所定値になるように、送受電時使用量設定値ａｓ１及びａｓ２を設定してもよい。
【００９０】
以上説明したように、本発明の第１の態様は、
第１の二次電池によって駆動される第１の電子機器と、
第２の二次電池によって駆動される第２の電子機器とを備えた電力シェアリングシステムにおいて、
上記第１及び第２の電子機器はそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信し、
上記第１の電子機器は、
上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御手段を備え、
上記制御手段は、
上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを特徴とする電力シェアリングシステムである。
【００９１】
第１の態様に係る電力シェアリングシステムによれば、第１の電池残容量が第２の電池残容量より小さいか否か、第１の電池残容量及び第１の電池電力使用量に基づいて計算される第１の残り使用時間予測値が第２の電池残容量及び第２の電池電力使用量に基づいて計算される第２の残り使用時間予測値より小さいか否か、又は、第１の電池残容量が所定の第１のしきい値より小さいか否かに基づいて、第１の二次電池の使用量が所定の第１の送受電時使用量設定値になりかつ第２の二次電池の使用量が所定の第２の送受電時使用量設定値になるように、第１の電子機器の動作モードを受電モード又は送電モードに切り換えるので、二次電池をそれぞれ有する２つの電子機器間で各電池の電力を融通できる。
【００９２】
本発明の第２の態様は、
上記制御手段が、上記第１及び第２の電池情報に基づいて、上記第１及び第２の電池残容量がそれぞれ実質的に同時に所定値になるように、上記第１及び第２の送受電時使用量設定値を計算することを特徴とする第１の態様の電力シェアリングシステムである。
【００９３】
第２の態様に係る電力シェアリングシステムによれば、第１の電子機器及び第２の電子機器を最も長い時間動作させるように送電を制御できる。
【００９４】
本発明の第３の態様は、
上記制御手段が、
上記第１の電池残容量が上記第２の電池残容量より小さいとき、上記第１の電子機器の動作モードを上記受電モードに切り換え、上記第１の電池残容量が上記第２の電池残容量より大きくなったとき上記受電モードを終了し、
上記第１の電池残容量が上記第２の電池残容量以上であるとき、上記第１の電子機器の動作モードを上記送電モードに切り換え、上記第１の電池残容量が上記第２の電池残容量より小さくなったとき上記送電モードを終了することを特徴とする第１又は第２の態様の電力シェアリングシステムである。
【００９５】
第３の態様に係る電力シェアリングシステムによれば、第１及び第２の二次電池のうち電池残容量が多い二次電池から他方の二次電池に自動的に送電できる。従って、第１及び第２の二次電池の一方の電池残容量が他方の電池残容量より小さい場合でも、第１及び第２の二次電池の各電力を融通することにより、電池残容量が小さい二次電池を有する電子機器の使用時間を延長できる。これにより、電力シェアリングシステム全体の使用可能時間を延長できる。
【００９６】
本発明の第４の態様は、
上記制御手段が、
上記第１の残り使用時間予測値が上記第２の残り使用時間予測値より小さいとき、上記第１の電子機器の動作モードを上記受電モードに切り換え、上記第１の残り使用時間予測値が上記第２の残り使用時間予測値より大きくなったとき上記受電モードを終了し、
上記第１の残り使用時間予測値が上記第２の残り使用時間予測値以上であるとき、上記第１の電子機器の動作モードを上記送電モードに切り換え、上記第１の残り使用時間予測値が上記第２の残り使用時間予測値より小さくなったとき上記受電モードを終了することを特徴とする第１又は第２の態様の電力シェアリングシステムである。
【００９７】
第４の態様に係る電力シェアリングシステムによれば、第１及び第２の二次電池のうち残り使用時間予測値が大きい二次電池から他方の二次電池に自動的に送電できる。従って、第１及び第２の二次電池の一方の残り使用時間予測値が他方の残り使用時間予測値より小さい場合でも、第１及び第２の二次電池の各電力を融通することにより、残り使用時間予測値が小さい二次電池を有する電子機器の使用時間を延長できる。これにより、電力シェアリングシステム全体の使用可能時間を延長できる。
【００９８】
本発明の第５の態様は、
上記制御手段が、
上記第１の電池残容量が上記第１のしきい値以下であるとき、上記第１の電子機器の動作モードを上記受電モードに切り換え、上記第１の電池残容量が上記第１のしきい値より大きい所定の第２のしきい値以上になり、又は上記第２の電池残容量が上記第１のしきい値以下になったとき上記受電モードを終了し、
上記第１の電池残容量が上記第１のしきい値より大きいとき、上記第１の電子機器の動作モードを上記送電モードに切り換え、上記第１の電池残容量が上記第１のしきい値以下になり、又は上記第２の電池残容量が上記第２のしきい値以上になったとき上記送電モードを終了することを特徴とする第１又は第２の態様の電力シェアリングシステムである。
【００９９】
第５の態様に係る電力シェアリングシステムによれば、第１の電子機器の動作モードが送電モードと受電モードとの間で頻繁に切りかわること、及び送電開始又は受電開始直後に送受電が終了することを防止できる。従って、上記態様に比較して、総受電の切り換えに伴う電力ロスを削減できる。
【０１００】
本発明の第６の態様は、
上記第１の電池情報が、少なくとも１つの将来の所定のタイミングにおける上記第１の電子機器による所定のアプリケーションソフトウェアのプログラムの実行状態に対応する電池電力使用量をさらに含み、
上記第２の電池情報が、少なくとも１つの将来の所定のタイミングにおける上記第２の電子機器による所定のアプリケーションソフトウェアのプログラムの実行状態に対応する電池電力使用量をさらに含むことを特徴とする第１から第５の態様のうちのいずれか１つの電力シェアリングシステムである。
【０１０１】
第６の態様に係る電力シェアリングシステムによれば、上記各態様に比較して、第１及び第２の送受電時使用量設定値を高い精度で計算できる。
【０１０２】
本発明の第７の態様は、
上記制御手段が、上記送電モード及び上記受電モードにおいて、最新の上記第１及び第２の電池情報に基づいて、上記第１及び第２の送受電時使用量設定値を繰り返して計算することを特徴とする第１から第５の態様のうちのいずれか１つの電力シェアリングシステムである。
【０１０３】
第７の態様に係る電力シェアリングシステムによれば、第１及び第２の二次電池の使用量が変化しても、第１及び第２の送受電時使用量設定値を補正しながら送電及び受電を続けることができる。
【０１０４】
本発明の第８の態様は、
上記第１の電子機器は、上記計算した第１及び第２の送受電時使用量設定値を記憶する記憶手段をさらに備え、
上記制御手段は、
上記送電モード及び上記受電モードにおいて、上記第２の電池情報を上記第２の電子機器から受信し、当該受信したタイミングにおける上記第１の電池電力使用量が上記記憶手段に記憶した第１の電池電力使用量と同一であり、かつ上記受信した第２の電池情報に含まれる第２の電池電力使用量が上記記憶手段に記憶した第２の電池電力使用量と同一であるとき、上記第１及び第２の送受電時使用量設定値を計算することを禁止することを特徴とする第７の態様の電力シェアリングシステムである。
【０１０５】
第８の態様に係る電力シェアリングシステムによれば、上記各態様に比較して、第１及び第２の送受電時使用量設定値の計算処理の回数を削減して電力ロスを削減できる。
【０１０６】
本発明の第９の態様は、
上記制御手段が、
上記受電モードにおいて、上記第１の電池情報を上記第２の電子機器に送信し、上記第１及び第２の送受電時使用量設定値を計算することなく上記第２の電子機器から受信し、
上記送電モードにおいて、上記第２の電池情報を上記第２の電子機器から受信し、上記第１の電池情報及び上記受信した第２の電池情報に基づいて上記第１及び第２の送受電時使用量設定値を計算し、上記第１の電池情報及び上記計算した第１及び第２の送受電時使用量設定値を上記第２の電子機器に送信することを特徴とする第７の態様の電力シェアリングシステムである。
【０１０７】
第９の態様に係る電力シェアリングシステムによれば、送電モードで動作する電子機器は、受電モードで動作する電子機器の代理演算を行うので、上記各態様に比較して、受電モードで動作する電子機器の消費電力を削減できる。このため、第１及び第２の電子機器間の電力伝送路に流れる電流量を低減することができるため、当該電力伝送路での電力ロス及び当該電力伝送路の温度上昇を抑制できる。
【０１０８】
本発明の第１０の態様は、
上記制御手段が、上記送電モード及び上記受電モードにおいて、最新の上記第１及び第２の電池情報に基づいて、上記第１及び第２の送受電時使用量設定値を繰り返して計算することを特徴とする第６の態様の電力シェアリングシステムである。
【０１０９】
第１０の態様に係る電力シェアリングシステムによれば、第１及び第２の二次電池の使用量が変化しても、第１及び第２の送受電時使用量設定値を補正しながら送電及び受電を続けることができる。
【０１１０】
本発明の第１１の態様は、
上記制御手段が、上記第１の電子機器による所定のアプリケーションソフトウェアのプログラムの実行状態及び上記第２の電子機器による所定のアプリケーションソフトウェアのプログラムの実行状態が変化していていないとき、上記第１及び第２の送受電時使用量設定値を計算することを禁止することを特徴とする第１０の態様の電力シェアリングシステムである。
【０１１１】
第１１の態様に係る電力シェアリングシステムによれば、最小限の通信回数及び最小限の計算回数で第１及び第２の送受電時使用量設定値を更新でき、第１及び第２の二次電池の使用量を削減できる。
【０１１２】
本発明の第１２の態様は、
上記第１の電子機器が表示手段をさらに備え、
上記制御手段は、上記送電モードにおいて、上記表示手段を用いて、上記第１の電子機器が送電中であることを通知することを特徴とする第１から第１１の態様のうちのいずれか１つの電力シェアリングシステムである。
【０１１３】
第１２の態様に係る電力シェアリングシステムによれば、送電中であることをユーザに通知してユーザの混乱を防ぐことができる。
【０１１４】
本発明の第１３の態様は、
上記制御手段が、上記第２の電子機器からデータ信号を受信できないとき、上記第１の二次電池の電力を上記第２の電子機器に送電することを特徴とする第１から第１２の態様のうちのいずれか１つの電力シェアリングシステムである。
【０１１５】
第１３の態様に係る電力シェアリングシステムによれば、例えば第２の二次電池の電池残容量がゼロになった場合でも、第２の電子機器をデータ信号を送受信できる状態まで復帰させることができる。
【０１１６】
本発明の第１４の態様は、
上記制御手段が、上記第２の二次電池の電池残容量が所定の省電力しきい値以下であることを示す省電力モード信号を上記第２の電子機器から受信したとき、上記第１の二次電池の電力を上記第２の電子機器に送電することを特徴とする第１から第１３の態様のうちのいずれか１つの電力シェアリングシステムである。
【０１１７】
第１４の態様に係る電力シェアリングシステムによれば、第２の電子機器が例えば省電力モードで動作していても第２の電子機器に強制的に送電を行うことができるので、第２の電子機器を復帰させることができる。
【０１１８】
本発明の第１５の態様は、
第１の二次電池によって駆動される第１の電子機器と、
第２の二次電池によって駆動される第２の電子機器とを備えた電力シェアリングシステムのための第１の電子機器である電子機器において、
上記第１及び第２の電子機器はそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信し、
上記第１の電子機器は、
上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御手段を備え、
上記制御手段は、
上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを特徴とする電子機器である。
【０１１９】
第１５の態様に係る電子機器によれば、第１の電池残容量が第２の電池残容量より小さいか否か、第１の電池残容量及び第１の電池電力使用量に基づいて計算される第１の残り使用時間予測値が第２の電池残容量及び第２の電池電力使用量に基づいて計算される第２の残り使用時間予測値より小さいか否か、又は、第１の電池残容量が所定の第１のしきい値より小さいか否かに基づいて、第１の二次電池の使用量が所定の第１の送受電時使用量設定値になりかつ第２の二次電池の使用量が所定の第２の送受電時使用量設定値になるように、第１の電子機器の動作モードを受電モード又は送電モードに切り換えるので、二次電池をそれぞれ有する２つの電子機器間で各電池の電力を融通できる。
【０１２０】
本発明の第１６の態様は、
第１の二次電池によって駆動される第１の電子機器と、
第２の二次電池によって駆動される第２の電子機器とを備えた電力シェアリングシステムのための電力シェアリング方法において、
上記第１及び第２の電子機器がそれぞれ、上記第１の二次電池の第１の電池残容量及び第１の電池電力使用量を含む第１の電池情報と、上記第２の二次電池の第２の電池残容量及び第２の電池電力使用量を含む第２の電池情報とを互いに送受信するステップと、
上記第１の電子機器が、上記第１の電子機器の動作モードを、上記第２の二次電池の電力を上記第２の電子機器から受電して当該受電した電力で上記第１の二次電池を充電する受電モードと、上記第１の二次電池の電力を上記第２の電子機器に送電して当該送電した電力で上記第２の二次電池を充電する送電モードとの間で選択的に切り換える制御ステップとを含み、
上記制御ステップは、
上記第１の電子機器が、上記第１の電池残容量が上記第２の電池残容量より小さいか否か、上記第１の電池残容量及び上記第１の電池電力使用量に基づいて計算される第１の残り使用時間予測値が上記第２の電池残容量及び上記第２の電池電力使用量に基づいて計算される第２の残り使用時間予測値より小さいか否か、又は、上記第１の電池残容量が所定の第１のしきい値より小さいか否かに基づいて、上記第１の二次電池の使用量が所定の第１の送受電時使用量設定値になりかつ上記第２の二次電池の使用量が所定の第２の送受電時使用量設定値になるように、上記第１の電子機器の動作モードを上記受電モード又は上記送電モードに切り換えることを含むことを特徴とする電力シェアリング方法である。
【０１２１】
第１６の態様に係る電力シェアリング方法によれば、第１の電池残容量が第２の電池残容量より小さいか否か、第１の電池残容量及び第１の電池電力使用量に基づいて計算される第１の残り使用時間予測値が第２の電池残容量及び第２の電池電力使用量に基づいて計算される第２の残り使用時間予測値より小さいか否か、又は、第１の電池残容量が所定の第１のしきい値より小さいか否かに基づいて、第１の二次電池の使用量が所定の第１の送受電時使用量設定値になりかつ第２の二次電池の使用量が所定の第２の送受電時使用量設定値になるように、第１の電子機器の動作モードを受電モード又は送電モードに切り換えるので、二次電池をそれぞれ有する２つの電子機器間で各電池の電力を融通できる。
【０１２２】
なお、上記各態様において、制御手段は、例えばＣＰＵなどのプロセッサにより実現される。また、記憶手段は、例えばメモリなどの記憶装置によって実現される。さらに、表示手段は、例えば液晶表示装置などの表示装置によって実現される。
【産業上の利用可能性】
【０１２３】
以上説明したように、本発明の一態様である電子シェアリングシステムによれば、第１の電池残容量が第２の電池残容量より小さいか否か、第１の電池残容量及び第１の電池電力使用量に基づいて計算される第１の残り使用時間予測値が第２の電池残容量及び第２の電池電力使用量に基づいて計算される第２の残り使用時間予測値より小さいか否か、又は、第１の電池残容量が所定の第１のしきい値より小さいか否かに基づいて、第１の二次電池の使用量が所定の第１の送受電時使用量設定値になりかつ第２の二次電池の使用量が所定の第２の送受電時使用量設定値になるように、第１の電子機器の動作モードを受電モード又は送電モードに切り換えるので、二次電池をそれぞれ有する２つの電子機器間で各電池の電力を融通できる。
【符号の説明】
【０１２４】
１，２…電子機器、
３…データ伝送路、
４…電力伝送路、
５…ＨＤＭＩケーブル、
１０，２０…制御部、
１１，２１…二次電池、
１２，２２…インタフェース回路、
１３，２３…インタフェース処理回路、
１４，２４…送電回路、
１５，２５…受電回路、
１６，２６…充電回路、
１７，２７…表示部、
１８，２８…記憶部、
ＳＷ１，ＳＷ２…スイッチ。
【図１】
2013225951.tif 000003
【図２】
2013225951.tif 000004
【図３】
2013225951.tif 000005
【図４】
2013225951.tif 000006
【図５】
2013225951.tif 000007
【図６】
2013225951.tif 000008
【図７】
2013225951.tif 000009
【図８】
2013225951.tif 000010
【図９】
2013225951.tif 000011
【図１０】
2013225951.tif 000012
【図１１】
2013225951.tif 000013
【図１２】
2013225951.tif 000014
【図１３】
2013225951.tif 000015
【図１４】
2013225951.tif 000016